(57)【特許請求の範囲】
【請求項１】
調理作業を行うキッチン天板と、
前記キッチン天板が載置されて前記キッチン天板を支持するキッチン支持体と、
前記キッチン支持体における調理作業場の背面側に固定された背面キャビネットと、
前記キッチン支持体の背面側に配置されたカウンターと、
を有し、
前記背面キャビネットは、上部背面キャビネットと下部背面キャビネットとを備えており、
前記カウンターは、前記上部背面キャビネットと前記下部背面キャビネットに狭持されており、
前記下部背面キャビネットおよび前記カウンターには貫通孔が形成されるとともに、前記上部背面キャビネットには前記貫通孔に対向した位置にボルト孔が形成され、
前記下部背面キャビネット、前記カウンター、および前記上部背面キャビネットは、ボルトを前記貫通孔及び前記ボルト孔に挿通螺合することにより支持固定されていることを特徴とするカウンター付キッチン。
【請求項２】
調理作業を行うキッチン天板と、
前記キッチン天板が載置されて前記キッチン天板を支持するキッチン支持体と、
前記キッチン支持体における調理作業場の背面側に固定された背面キャビネットと、
前記キッチン支持体の背面側に配置されたカウンターと、
を有し、
前記背面キャビネットは、上部背面キャビネットと下部背面キャビネットとを備えており、
前記カウンターは、前記上部背面キャビネットの底板と前記下部背面キャビネットの天板に狭持されており、
前記上部背面キャビネットと前記下部背面キャビネットとは長手方向において同幅に形成されており、
前記カウンターは、少なくとも前記上部背面キャビネットの底板および前記下部背面キャビネットの天板の長手方向全長に亘って狭持される寸法を有していることを特徴とするカウンター付キッチン。
【請求項３】
前記カウンターの裏面及び前記下部背面キャビネットの側面に取り付けられ、前記カウンターを支持する支持部材をさらに備える請求項１または請求項２に記載のカウンター付キッチン。
【請求項４】
前記カウンターを平面視した形状は、コーナー部を備える形状であり、
前記カウンターは前記キッチン支持体の側面位置にも配設されている請求項１〜請求項３のいずれか一項に記載のカウンター付キッチン。
【請求項５】
前記カウンターを平面視した形状は、コーナー部を備える形状であり、
前記カウンターは前記キッチン支持体の側面位置にも配設されており、
前記支持部材は、前記キッチン支持体の背面側に配置されたカウンターを支持する第１支持部材と、前記キッチン支持体の側面に配置されたカウンターを支持する第２支持部材と、を備え、
前記第１支持部材と前記第２支持部材とは、それぞれの端部が略平行となって向き合う位置まで延在している請求項３に記載のカウンター付キッチン。
【請求項６】
前記上部背面キャビネットの上面は、前記キッチン天板に覆い被されている請求項１〜請求項５のいずれか一項に記載のカウンター付キッチン。
【請求項７】
少なくとも前記キッチン支持体の背面に、前記カウンターが突き当てられている請求項１〜請求項６のいずれか一項に記載のカウンター付キッチン。
【請求項８】
調理作業を行うキッチン天板と、
前記キッチン天板が載置されて前記キッチン天板を支持するキッチン支持体と、
前記キッチン支持体における調理作業場の背面側に固定された背面キャビネットと、
前記キッチン支持体の背面側に配置されたカウンターと、
を有し、
前記背面キャビネットは、上部背面キャビネットと下部背面キャビネットとを備えており、
前記カウンターは、前記上部背面キャビネットと前記下部背面キャビネットに狭持されており、
前記カウンターの裏面及び前記下部背面キャビネットの側面に取り付けられ、前記カウンターを支持する支持部材をさらに備え、
前記カウンターを平面視した形状は、コーナー部を備える形状であり、
前記カウンターは前記キッチン支持体の側面位置にも配設されており、
前記支持部材は、前記キッチン支持体の背面側に配置されたカウンターを支持する第１支持部材と、前記キッチン支持体の側面に配置されたカウンターを支持する第２支持部材と、を備え、
前記第１支持部材と前記第２支持部材とは、それぞれの端部が略平行となって向き合う位置まで延在していることを特徴とするカウンター付キッチン。
【発明の詳細な説明】
【技術分野】
【０００１】
本発明は、カウンター付キッチンに関する。
【背景技術】
【０００２】
調理作業場とダイニングの間に配置されるいわゆる対面キッチンとして、従来、ダイニング側にカウンターを設けたいわゆるカウンター付キッチンがある。このカウンター付キッチンは、例えばキッチン支持体（キッチンキャビネットなど）のダイニング側にカウンターを突出させて取り付けられているものである。
【０００３】
このカウンター付キッチンとして、対面キッチンにおける小壁の上にカウンターを取り付け、小壁よりも調理作業場側をキッチンの天板として利用し、ダイニング側をカウンターとして利用するものがある（例えば、特許文献１参照）。このカウンターは、ダイニング側では桟木によって支持され、表面に表面材が取り付けられて利用されるものである。
【先行技術文献】
【特許文献】
【０００４】
【特許文献１】特開２０１０−７５３１０号公報
【発明の概要】
【発明が解決しようとする課題】
【０００５】
しかし、上記特許文献１に開示されたカウンター付キッチンでは、キッチン天板とカウンターとが共通の素材で形成されている。ところが、カウンターとキッチン天板とでは、求められる特性や機能性が異なることから、カウンターとキッチン天板とをそれぞれ独立した別体として製造することが要求されることがある。
【０００６】
カウンターとキッチン天板とを独立した別体として製造する場合、例えばキッチン天板をキッチン支持体、例えばキッチンキャビネットで支持し、キッチンキャビネットの背面側（ダイニング側）にカウンターを突き当てて固定することが考えられる。ところが、キッチンキャビネットの背面にカウンターを突き当てて固定する場合、カウンターの耐荷重への強度が不足するおそれがあった。
【０００７】
そこで、本発明の課題は、カウンターとキッチン天板とを独立して別体として設けた場合でも、カウンターの耐荷重を高めることができるカウンター付キッチンを提供することである。
【課題を解決するための手段】
【０００８】
本発明の一態様は、カウンター付キッチンであって、調理作業を行うキッチン天板と、前記キッチン天板が載置されて前記キッチン天板を支持するキッチン支持体と、前記キッチン支持体における調理作業場の背面側に固定された背面キャビネットと、前記キッチン支持体の背面側に配置されたカウンターと、を有し、前記背面キャビネットは、上部背面キャビネットと下部背面キャビネットとを備えており、前記カウンターは、前記上部背面キャビネットと前記下部背面キャビネットに狭持されており、前記下部背面キャビネットおよび前記カウンターには貫通孔が形成されるとともに、前記上部背面キャビネットには前記貫通孔に対向した位置にボルト孔が形成され、前記下部背面キャビネット、前記カウンター、および前記上部背面キャビネットは、ボルトを前記貫通孔及び前記ボルト孔に挿通螺合することにより支持固定されていることを特徴とする。
本発明の一態様は、調理作業を行うキッチン天板と、前記キッチン天板が載置されて前記キッチン天板を支持するキッチン支持体と、前記キッチン支持体における調理作業場の背面側に固定された背面キャビネットと、前記キッチン支持体の背面側に配置されたカウンターと、を有し、前記背面キャビネットは、上部背面キャビネットと下部背面キャビネットとを備えており、前記カウンターは、前記上部背面キャビネットの底板と前記下部背面キャビネットの天板に狭持されており、前記上部背面キャビネットと前記下部背面キャビネットとは長手方向において同幅に形成されており、前記カウンターは、少なくとも前記上部背面キャビネットの底板および前記下部背面キャビネットの天板の長手方向全長に亘って狭持される寸法を有していることを特徴とする。
【０００９】
また、本発明の一態様は、上記のカウンター付キッチンであって、前記カウンターの裏面及び前記下部背面キャビネットの側面に取り付けられ、前記カウンターを支持する支持部材をさらに備える。
【００１０】
また、本発明の一態様は、上記のカウンター付キッチンであって、前記カウンターを平面視した形状は、コーナー部を備える形状であり、前記カウンターは前記キッチン支持体の側面位置にも配設されている。
【００１１】
また、本発明の一態様は、前記カウンターを平面視した形状は、コーナー部を備える形状であり、前記カウンターは前記キッチン支持体の側面位置にも配設されており、前記支持部材は、前記キッチン支持体の背面側に配置されたカウンターを支持する第１支持部材と、前記キッチン支持体の側面に配置されたカウンターを支持する第２支持部材と、を備え、前記第１支持部材と前記第２支持部材とは、それぞれの端部が略平行となって向き合う位置まで延在している。
また、本発明の一態様は、前記上部背面キャビネットの上面は、前記キッチン天板に覆い被されている。
また、本発明の一態様は、少なくとも前記キッチン支持体の背面に、前記カウンターが突き当てられている。
本発明の一態様は、調理作業を行うキッチン天板と、前記キッチン天板が載置されて前記キッチン天板を支持するキッチン支持体と、前記キッチン支持体における調理作業場の背面側に固定された背面キャビネットと、前記キッチン支持体の背面側に配置されたカウンターと、を有し、前記背面キャビネットは、上部背面キャビネットと下部背面キャビネットとを備えており、前記カウンターは、前記上部背面キャビネットと前記下部背面キャビネットに狭持されており、前記カウンターの裏面及び前記下部背面キャビネットの側面に取り付けられ、前記カウンターを支持する支持部材をさらに備え、前記カウンターを平面視した形状は、コーナー部を備える形状であり、前記カウンターは前記キッチン支持体の側面位置にも配設されており、前記支持部材は、前記キッチン支持体の背面側に配置されたカウンターを支持する第１支持部材と、前記キッチン支持体の側面に配置されたカウンターを支持する第２支持部材と、を備え、前記第１支持部材と前記第２支持部材とは、それぞれの端部が略平行となって向き合う位置まで延在していることを特徴とする。
【発明の効果】
【００１２】
本発明の一態様に係るカウンター付キッチンによれば、カウンターとキッチン天板とを独立して別体として設けた場合でも、カウンターの耐荷重を高めることができる。
【図面の簡単な説明】
【００１３】
【図１】一実施形態に係るカウンター付キッチンの斜視図である。
【図２】一実施形態に係るカウンター付キッチンの分解斜視図である。
【図３】一実施形態に係るカウンター付キッチンの平面図である。
【図４】（ａ）は、一実施形態に係るカウンター付キッチンの背面図、（ｂ）は、一実施形態に係るカウンター付キッチンの側面図である。
【図５】背面キャビネットとカウンターとの接合部を示す拡大図である。
【図６】支持金具の突き当て部分を示す拡大斜視図である。
【図７】他の実施形態に係るカウンター付キッチンの平面図である。
【発明を実施するための形態】
【００１４】
以下、本発明の一実施形態に係るカウンター付キッチンについて、図面を参照して具体的に説明する。図１は、一実施形態に係るカウンター付キッチンの斜視図である。図２は、一実施形態に係るカウンター付キッチンの分解斜視図である。図３は、一実施形態に係るカウンター付キッチンの平面図である。図４（ａ）は、一実施形態に係るカウンター付キッチンの背面図、（ｂ）は、一実施形態に係るカウンター付キッチンの側面図である。
【００１５】
図１〜図４に示すように、カウンター付キッチン１０は、キッチン支持体であるキッチンキャビネット１を備えている。キッチンキャビネット１には、キッチン天板２が載置されており、キッチンキャビネット１は、キッチン天板２を支持している。キッチン天板２は、天板本体２１を備えており、天板本体２１には、シンク２２及び加熱器具２３が設けられている。カウンター付キッチン１０は、図１に示すように、例えば調理作業等を行う調理作業場１００とダイニング２００との間に配設された対面キッチンであり、調理作業等を行う調理作業場１００の側を表面側とし、ダイニング２００が設けられている側を背面側とする。
【００１６】
また、キッチンキャビネット１の背面側には、背面キャビネット３が設けられている。背面キャビネット３は、上部背面キャビネット３１と、下部背面キャビネット３２とを備えている。上部背面キャビネット３１は、キッチンキャビネット１の上部の背面側に図示しないボルト等によって固定され、下部背面キャビネット３２は、キッチンキャビネット１の背面側に図示しないボルト等によって固定されている。
【００１７】
上部背面キャビネット３１は、長手方向に略同じ長さで３分割されており、第１上部背面キャビネット３３、第２上部背面キャビネット３４、及び第３上部背面キャビネット３５を備えて構成されている。同様に、下部背面キャビネット３２は、長手方向に略同じ長さで３分割されており、第１下部背面キャビネット３６、第２下部背面キャビネット３７、及び第３下部背面キャビネット３８を備えて構成されている。
【００１８】
第１上部背面キャビネット３３は、図２に示すように、第１上函体部３３Ａを備えている。第１上函体部３３Ａの背面側は開口部とされており、第１上部背面キャビネット３３は、開口部を塞ぐ第１上幕板３３Ｂを備えて構成されている。また、第２上部背面キャビネット３４及び第３上部背面キャビネット３５は、第２上函体部３４Ａ及び第３上函体部３５Ａをそれぞれ備えている。第２上函体部３４Ａ及び第３上函体部３５Ａの背面側は開口部とされており、第２上部背面キャビネット３４及び第３上部背面キャビネット３５は、それらの開口部を塞ぐ第２上幕板３４Ｂ，第３上幕板３５Ｂをそれぞれ備えて構成されている。これらの第１上部背面キャビネット３３〜第３上部背面キャビネット３５は、いずれも６面体の箱状（６つの四角形で囲まれた立体）をなしている。また、第１上部背面キャビネット３３〜第３上部背面キャビネット３５で形成される上部背面キャビネット３１も同様に、６面体の箱状（６つの四角形で囲まれた立体）をなしている。また、上部背面キャビネット３１は、第１上部背面キャビネット３３〜第３上部背面キャビネット３５を有する３分割とされているが、分割されてないようにしてもよいし、２分割または４分割以上に分割されていてもよい。
【００１９】
第１上函体部３３Ａの上部と第１上幕板３３Ｂの上部との間には図示しない蝶番が設けられており、第１上幕板３３Ｂは、蝶番によって開閉可能とされている。同様に、第２上函体部３４Ａ，第３上函体部３５Ａの上部と第２上幕板３４Ｂ，第３上幕板３５Ｂの上部との間には図示しない蝶番が設けられており、第２上幕板３４Ｂ及び第３上幕板３５Ｂは、蝶番によって開閉可能とされている。ただし、第１上函体部３３Ａ〜第３上函体部３５Ａと、第１上幕板３３Ｂ〜第３上幕板３５Ｂとを固定し、第１上幕板３３Ｂ〜第３上幕板３５Ｂを開閉不能としてもよいし、第１上幕板３３Ｂ〜第３上幕板３５Ｂの一部を開閉可能としてもよい。
【００２０】
第１下部背面キャビネット３６は、図２に示すように、第１下函体部３６Ａを備えている。第１下函体部３６Ａの背面側は開口部とされており、第１下部背面キャビネット３６は、開口部を塞ぐ第１下幕板３６Ｂを備えて構成されている。また、第２下部背面キャビネット３７及び第３下部背面キャビネット３８は、第２下函体部３７Ａ及び第３下函体部３８Ａをそれぞれ備えている。第２下函体部３７Ａ及び第３下函体部３８Ａの背面側は開口部とされており、第２下部背面キャビネット３７及び第３下部背面キャビネット３８は、それらの開口部を塞ぐ第２下幕板３７Ｂ，第３下幕板３８Ｂをそれぞれ備えて構成されている。これらの第１下部背面キャビネット３６〜第３下部背面キャビネット３８は、いずれも６面体の箱状（６つの四角形で囲まれた立体）をなしている。また、第１下部背面キャビネット３６〜第３下部背面キャビネット３８で形成される下部背面キャビネット３２も同様に、６面体の箱状（６つの四角形で囲まれた立体）をなしている。また、下部背面キャビネット３２は、第１下部背面キャビネット３６〜第３下部背面キャビネット３８を有する３分割とされているが、分割されてないようにしてもよいし、２分割または４分割以上に分割されていてもよい。また、下部背面キャビネット３２は、上部背面キャビネット３１と同様に３分割とされているが、上部背面キャビネット３１と異なる分割数とされていてもよい。また、上部背面キャビネット３１と同じ分割数であっても、異なる長さ比率で分割されていてもよい。
【００２１】
第１下幕板３６Ｂは、第１下函体部３６Ａの開口部を塞いで釘等によって固定されている。このため、第１下幕板３６Ｂは、開閉不能とされている。同様に、第２下幕板３７Ｂ，第３下幕板３８Ｂは、第２下函体部３７Ａ，第３下函体部３８Ａの開口部を塞いで釘等によって固定され、第２下幕板３７Ｂ，第３下幕板３８Ｂは、開閉不能とされている。ただし、第１下函体部３６Ａ〜第３下函体部３８Ａと第１下幕板３６Ｂ〜第３下幕板３８Ｂとをそれぞれ蝶番等で接続し、第１下幕板３６Ｂ〜第３下幕板３８Ｂを開閉可能となるようにしてもよいし、第１下幕板３６Ｂ〜第３下幕板３８Ｂの一部が開閉可能となるようにしてもよい。第１下幕板３６Ｂ〜第３下幕板３８Ｂが開閉可能である場合には、第１下函体部３６Ａ〜第３下函体部３８Ａに皿や茶碗といった食器等の収納物を収納可能となる。
【００２２】
また、キッチンキャビネット１における背面及び側面には、カウンター４が突き当てられている。カウンター４は、表面材がキッチン天板２の天板本体２１の表面材とは異なる素材である例えば木材で形成されている。なお、天板本体２１の素材は、例えば人工大理石を用いることができる。ただし、カウンター４や天板本体２１の素材は、これらの素材以外の素材でもよい。また、カウンター４や天板本体２１の素材は、共通するものであってもよい。
【００２３】
カウンター４は、コーナー部を有し、平面視して略Ｌ字形状をなしており、長部４１と短部４２とを備えている。長部４１と短部４２とが切り替わる部分がコーナー部となる。このうちの長部４１がキッチンキャビネット１の背面側に突き当てられており、短部４２がキッチンキャビネット１の側面に突き当てられている。
【００２４】
カウンター４の長部４１の上面側には上部背面キャビネット３１が配設されており、カウンター４の長部４１の下面側には下部背面キャビネット３２が配設されている。カウンター４は、上部背面キャビネット３１及び下部背面キャビネット３２からなる背面キャビネット３によって挟持されて支持されている。また、上部背面キャビネット３１における上面側は、キッチン天板２における天板本体２１が覆い被されている。
【００２５】
背面キャビネット３によってカウンター４を支持する支持部では、図５に示すように、ボルト４５による共締めが行われている。例えば、背面キャビネット３の上部背面キャビネット３１における第１上函体部３３Ａの下面には、ボルト孔３３Ｈが形成されており、カウンター４における長部４１及び下部背面キャビネット３２における第１下函体部３６Ａの上面には、それぞれ貫通孔４１Ｈ，３６Ｈが形成されている。第１下函体部３６Ａにおける貫通孔３６Ｈの下方からボルト４５が挿入され、第１上函体部３３Ａの下面側におけるボルト孔３３Ｈにねじ込まれていることにより、下部背面キャビネット３２が上部背面キャビネット３１に固定されるとともに、カウンター４が背面キャビネット３における上部背面キャビネット３１及び下部背面キャビネット３２に挟持されている。
【００２６】
キッチンキャビネット１における側面には、化粧パネル５が取り付けられている。化粧パネル５は、上部化粧パネル５１と、下部化粧パネル５２とを備えている。上部化粧パネル５１は、キッチンキャビネット１の側面におけるカウンター４よりも上方に図示しないビス等によって取り付けられており、下部化粧パネル５２は、キッチンキャビネット１の側面におけるカウンター４よりも下方に図示しないビス等によって取り付けられている。また、上部化粧パネル５１の上面側は、キッチン天板２における天板本体２１が覆い被されている。
【００２７】
カウンター４における底面側には、支持金具６が配設されている。支持金具６は、カウンター４における長部４１の底面側に配設された第１支持部材である長支持金具６１と、カウンター４における短部４２の底面側に配設された第２支持部材である短支持金具６２とを備えている。長支持金具６１及び短支持金具６２は、断面略円弧形状に適宜の凹部が形成された長尺材であり、例えば押出成形によって製造されている。
【００２８】
長支持金具６１の上端部近傍は、図３に示すように、カウンター４における長部４１の底面に対して、長側縦向ビス６３Ａによって接合されている。また、長支持金具６１の下端部近傍は、図４（ａ）に示すように、背面キャビネット３における下部背面キャビネット３２の第１下幕板３６Ｂ〜第３下幕板３８Ｂに長側横向ビス６３Ｂによって接合されている。
【００２９】
長支持金具６１には、長側縦向ビス６３Ａを貫通させる貫通孔６１ａ（図６参照）が長支持金具６１の長手方向に略等間隔をおいて複数形成されており、長支持金具６１には、これらの貫通孔を形成するための長側第１凹部６１Ａが形成されている。また、長支持金具６１には、長側横向ビス６３Ｂを貫通させる貫通孔６１ｂ（図６参照）が長支持金具６１の長手方向に略等間隔をおいて複数形成されており、長支持金具６１には、これらの貫通孔６１ｂを形成するための長側第２凹部６１Ｂが形成されている。これらの長側第１凹部６１Ａ及び長側第２凹部６１Ｂは、図示しない保護パッキンによってシールされている。このため、長側縦向ビス６３Ａ及び長側横向ビス６３Ｂは、外部に対して隠蔽されている。
【００３０】
短支持金具６２は、断面略円弧形状を成す長尺材であるが、その長さは長支持金具６１の長さよりも短くされている。短支持金具６２の上端部近傍は、図３に示すように、カウンター４における短部４２の底面に対して、短側縦向ビス６４Ａ等によって接合されている。また、短支持金具６２の下端部近傍は、図４（ｂ）に示すように、下部化粧パネル５２に短側横向ビス６４Ｂ等によって接合されている。
【００３１】
短支持金具６２には、短側縦向ビス６４Ａを貫通させる貫通孔６２ａ（図６参照）が短支持金具６２の長手方向に略等間隔をおいて複数形成されており、短支持金具６２には、これらの貫通孔６２ａを形成するための短側第１凹部６２Ａが形成されている。また、短支持金具６２には、短側横向ビス６４Ｂを貫通させる貫通孔６２ｂ（図６参照）が短支持金具６２の長手方向に略等間隔をおいて複数形成されており、短支持金具６２には、これらの貫通孔６２ｂを形成するための短側第２凹部６２Ｂが形成されている。これらの短側第１凹部６２Ａ及び短側第２凹部６２Ｂは、図示しない保護パッキンによってシールされている。このため、短側縦向ビス６４Ａ及び短側横向ビス６４Ｂは、外部に対して隠蔽されている。
【００３２】
また、長支持金具６１におけるカウンター４のコーナー部側端部は、図３及び図４（ａ）に示すように、端部側に行くほど背面キャビネット３から遠ざかるように傾斜が付されている。また、短支持金具６２におけるカウンター４のコーナー部側端部は、図３及び図４（ｂ）に示すように、端部側に行くほど化粧パネル５から遠ざかるように傾斜が付されている。
【００３３】
長支持金具６１及び短支持金具６２におけるコーナー部側端部には、それぞれ傾斜が付されていることにより、図６に示すように、長支持金具６１と短支持金具６２とは、それぞれの端部が略平行となって向き合う位置まで延在している。長支持金具６１と短支持金具６２の端部が向き合う位置には、仮想線で示すサイドキャップ６５が嵌め込まれている。
【００３４】
次に、カウンター付キッチン１０の取付手順について説明する。カウンター付キッチン１０を床等に固定して取り付ける際には、まず、下部背面キャビネット３２の第１下函体部３６Ａ〜第３下函体部３８Ａをキッチンキャビネット１の背面側に固定する。これらの第１下函体部３６Ａ〜第３下函体部３８Ａは、函体をなしているので、いわば積木のように連結組み合わせが容易である。また、キッチンキャビネット１とも連結がしやすく、高い施工性を発揮することができる。このとき同時に、下部背面キャビネット３２を床面に固定する。続いて、キッチンキャビネット１の側面に下部化粧パネル５２を取り付ける。
【００３５】
キッチンキャビネット１に下部背面キャビネット３２の第１下函体部３６Ａ〜第３下函体部３８Ａ及び下部化粧パネル５２を取り付けたら、キッチンキャビネット１の背面及び側面に沿ってカウンター４を設置する。このとき、カウンター４を下部背面キャビネット３２の第１下函体部３６Ａ〜第３下函体部３８Ａの上に仮置きしておく。それから、カウンター４を下部背面キャビネット３２の第１下函体部３６Ａ〜第３下函体部３８Ａに対して仮固定する。仮固定の際には、カウンター４及び下部背面キャビネット３２の第１下函体部３６Ａ〜第３下函体部３８Ａにそれぞれ形成されたに貫通孔４１Ｈ，３６Ｈにボルトを通し、反対側からナットを締め付けておく。
【００３６】
それから、仮固定したボルトを外し、カウンター４を挟んで下部背面キャビネット３２の第１下函体部３６Ａ〜第３下函体部３８Ａの上側に上部背面キャビネット３１を載置する。続いて、ボルト４５をカウンター４の長部４１及び下部背面キャビネット３２の上面に形成された貫通孔４１Ｈ，３６Ｈ等を挟んで上部背面キャビネット３１に形成されたボルト孔３３Ｈにねじ込み、背面キャビネット３及びカウンター４を本固定する。こうして、背面キャビネット３によってカウンター４を挟持して支持する。
【００３７】
その後、キッチンキャビネット１の側面におけるカウンター４の上側に上部化粧パネル５１を取り付け、下部背面キャビネット３２の第１下函体部３６Ａ〜第３下函体部３８Ａに第１下幕板３６Ｂ〜第３下幕板３８Ｂをそれぞれ取り付ける。これらの第１上函体部３３Ａ〜第３上函体部３５Ａは、函体をなしているので、いわば積木のように連結組み合わせが容易である。また、第１下函体部３６Ａ〜第３下函体部３８Ａ、カウンター４、キッチンキャビネット１とも連結がしやすく、高い施工性を発揮することができる。それから、カウンター４の底部に長支持金具６１及び短支持金具６２を取り付ける。そして、キッチンキャビネット１を床面に固定し、キッチンキャビネット１にキッチン天板２を取り付けてカウンター付キッチン１０が完成する。
【００３８】
このように、上記のカウンター付キッチン１０においては、キッチン天板２は、キッチンキャビネット１に搭載され、キッチンキャビネット１の背面及び側面にはカウンター４が突き当てられて配設されている。このため、キッチン天板２とカウンター４とは別体となっている。また、キッチンキャビネット１の背面には、背面キャビネット３が固定されている。背面キャビネット３は、上部背面キャビネット３１と下部背面キャビネット３２とを備えており、カウンター４は、上部背面キャビネット３１と下部背面キャビネット３２に挟持されている。カウンター４が背面キャビネット３の上部背面キャビネット３１と下部背面キャビネット３２に挟持されていることにより、カウンター４の耐荷重が高められている。したがって、カウンター４とキッチン天板２とを独立して別体として設けた場合でも、カウンター４の耐荷重を高めることができる。
【００３９】
また、カウンター４の裏面及び下部背面キャビネット３２の側面には、長支持金具６１が取り付けられている。この長支持金具６１によって、カウンター４が支持されていることにより、カウンター４の耐荷重をさらに高めることができる。また、長支持金具６１は、カウンター４と下部背面キャビネット３２の近傍位置に配置されているので、カウンター付キッチン１０の外側からは見にくい位置に配置されている。このため、カウンター付キッチン１０の外観を損ねないようにすることができる。
【００４０】
さらに、カウンター４は、平面視した形状がコーナー部を備えるＬ字形状をなしており、キッチンキャビネット１の側面位置にも配置されている。このため、カウンター４の周囲に対してカウンター４を設置することができる。なお、平面視した形状がコーナー部を備える形状としては、背面部と一側面部にカウンターが配置されたＬ字形状とするほか、背面部と両側面部にカウンターが配置されたコ字形状としてもよい。
【００４１】
また、支持金具６は、カウンター４の長部４１に設けられる長支持金具６１と、短部４２に設けられる短支持金具６２を備えている。ここで、カウンター４のコーナー部で長支持金具６１と短支持金具６２とが向かい合うが、長支持金具６１と短支持金具６２の端部には、それぞれ傾斜が付されており、それぞれの端部が略平行となって向き合う位置まで延在している。このため、カウンター４のコーナー部の隅部におけるキッチンキャビネット１から遠い位置においても耐荷重を十分に高めることができる。
【００４２】
また、向かい合う長支持金具６１と短支持金具６２の端部の間に、サイドキャップ６５が嵌め込まれている。このため、長支持金具６１及び短支持金具６２の端部が露出しないようにすることができる。したがって、長支持金具６１及び短支持金具６２の端部が露出することによる不具合、例えば長支持金具６１及び短支持金具６２の端部への接触によって接触したものを傷つけることなどを抑制することができる。
【００４３】
以上、この発明の実施形態について図面を参照して詳述してきたが、具体的な構成はこの実施形態に限られるものではなく、この発明の要旨を逸脱しない範囲の設計等も含まれる。
【００４４】
例えば、上記実施形態では、カウンター４として平面視して略Ｌ字形状をなすコーナー部を有するカウンターを用いているが、図７に示すように、コーナー部を有しないカウンター４０をキッチンキャビネット１に取り付けるようにしてもよい。この場合、カウンター４０の背面側には、カウンター４０の長手方向の長さよりもわずかに短い支持金具６０を設けるようにしてもよい。
【００４５】
また、上記の実施形態では、キッチン天板２の天板本体２１とカウンター４とは、表面材が異なる素材で形成されているが、表面材が共通する素材で形成されていてもよい。また、支持金具６０は、その延在方向に交差する方向に沿った補強フレームなどを内蔵させるようにしてもよい。
【符号の説明】
【００４６】
１０…カウンター付キッチン
１…キッチンキャビネット（キッチン支持体）
２…キッチン天板
２１…天板本体
２２…シンク
２３…加熱器具
３…背面キャビネット
３１…上部背面キャビネット
３２…下部背面キャビネット
４…カウンター
４１…長部
４２…短部
６…支持金
６１…長支持金
６２…短支持金
１００…調理作業場
【図１】
0006755662.tif 000002
【図２】
0006755662.tif 000003
【図３】
0006755662.tif 000004
【図４】
0006755662.tif 000005
【図５】
0006755662.tif 000006
【図６】
0006755662.tif 000007
【図７】
0006755662.tif 000008